Podtech/llm-jp-corpus-v4-ja_patent huggingface dataset:
(57)【要約】本発明は、炭素化された面状形成物を、空気の流入下でレーザー光線を利用して、横縞状に又は縦縞状に、１２００℃〜３２００℃の間の温度に加熱することによって、炭素化された面状形成物を黒鉛化する方法に関する。【特許請求の範囲】
【請求項１】
炭素化された面状形成物を黒鉛化する方法であって、
炭素化された面状形成物を、空気の流入下でレーザー光線を利用して、横縞状に又は縦縞状に、１２００℃〜３２００℃の間の温度に加熱することを特徴とする方法。
【請求項２】
プロセス効率が少なくとも５．０ ｋＷｓｇ−１である請求項１記載の方法。
【請求項３】
前記加熱がＣＯ２レーザーによって行われる請求項１又は２記載の方法。
【請求項４】
導電経路に類似する構造のみを黒鉛化する請求項１〜３のいずれか一項に記載の方法。
【請求項５】
請求項１〜３のいずれか一項に記載の方法によって製造された炭素化された不織布であって、燃料電池のガス分離膜として使用される炭素化された不織布。
【請求項６】
請求項１〜３のいずれか一項に記載の方法によって製造された炭素化された不織布であって、電気二重層キャパシタ内の電極用の基礎材料として使用される炭素化された不織布。
【請求項７】
請求項４記載の方法によって製造された炭素化された不織布であって、衣服に埋め込まれた電子機器に電気接続するための伝導性ライナー材料として、電子機器用のアンテナとして、及び／又は衣服の中の電気導体として使用される炭素化された不織布。
【発明の詳細な説明】
【０００１】
【発明の属する技術分野】
本発明は、炭素化された面状形成物（シート状）を黒鉛化するための方法に関する。
【０００２】
【従来技術】
有機系難燃性繊維、例えば予め酸化されているポリアクリルニトリル繊維又はピッチ系繊維からなる不織布を不活性ガス雰囲気中で１１００℃以上の温度に加熱することによって、導電性の黒鉛化された不織布に変換する炭素繊維不織布の製造方法が公知である（例えば特許文献１、２、３参照）。
【０００３】
さらにポリアクリルニトリル重合体又は芳香族ポリアミドからなる前駆体繊維を、酸素含有雰囲気中で１８０℃〜５５０℃に加熱し、引き続きＣＯ２レーザー光を利用して先ず７００℃〜１２００℃、そしてその次に１２００℃〜３６００℃に加熱し、それによって黒鉛化された繊維に変換することによって、繊維又は不織布を黒鉛化する方法が公知である（例えば特許文献４参照）。この場合には、黒鉛化すべき糸又は不織布を、黒鉛化処理のために不活性ガス雰囲気中に入れなければならない。このような処理によって、製造プロセスの費用は高くなり、製造プロセスの処理速度は遅くなる。
【０００４】
【特許文献１】
特願平２−１３９４６４号公報
【０００５】
【特許文献２】
特開平６−１２３０５０号公報
【０００６】
【特許文献３】
特開平１１−１５８７３７号公報
【０００７】
【特許文献４】
米国特許第３６９９２１０号公報
【０００８】
【発明が解決しようとする課題】
本発明は、黒鉛化された面状形成物を製造するための簡単な方法の提供を課題としている。
【０００９】
【課題を解決するための手段】
本発明によれば上記課題は、炭素化された面状形成物を、空気の流入下でレーザー光線を利用して、横縞状に又は縦縞状に、１２００℃〜３２００℃の間の温度に加熱することによって解決される。
【００１０】
驚くべきことに、面状形成物の破壊、即ち繊維が燃焼してしまうことなく、レーザー光を利用して、空気の存在下で加熱を実施することが可能であることを見出した。その結果、保護ガスを供給するための装置がもはや不要であるために、本方法はきわめて簡素化され、また本方法は、より簡単なやり方で連続して実施することができ、電気伝導性の製品を得ることができる。
【００１１】
レーザー光のプロセス効率が少なくとも５．０ ｋＷｓｇ−１であることが好ましい。
【００１２】
利用されるプロセス効率によって、原料繊維が燃焼することなく、黒鉛化された繊維に変換されることが保証される。
【００１３】
加熱がＣＯ２レーザーによって行われることが好ましい。ＣＯ２レーザーは、極めて迅速にかつ連続的なエネルギー供給を可能にする。本発明による方法の有利な態様において、黒鉛化は、導電経路に類似する構造のみを黒鉛化するやり方で実施される。このことによって、電気伝導性ではない原料不織布上に電気伝導性の構造を得ることが可能となり、このような構造によって新しい利用分野が開かれる。
【００１４】
さらに本発明は、本発明の方法によって製造され、かつ燃料電池のガス分離膜として使用される黒鉛化された不織布に関する。
【００１５】
さらに本発明は、電気二重層キャパシタ内の電極用の基礎材料として使用される黒鉛化された不織布に関する。
【００１６】
本発明による黒鉛化された面状形成物は、十分な機械的強度を有するので、黒鉛化された面状形成物の取扱が保証されている。従来の方法で製造された黒鉛化された面状形成物と比較して、本発明による黒鉛化された面状形成物の強度は、材料が脆くなることなく、明らかに高められる。
【００１７】
さらに本発明は、衣服に埋め込まれた電子機器に電気接続するための伝導性ライナー材料として、電子機器用のアンテナとして、及び／又は衣服の中の電気導体として使用される黒鉛化された不織布に関する。
【００１８】
【発明の実施の形態】
次に本発明を実施例に基づき詳説する。
【００１９】
例１
予め酸化されている単位面積当りの重量が６０ ｇ／ｍ２のポリアクリルニトリル繊維の不織布からなる炭素化された面状形成物を、約１０００ Ｗの連続出力を有するＣＯ２レーザーを利用して、機械方向の送り６ｍｍ及びレーザー光の直径１４ｍｍの条件で黒鉛化した。図１に、利用したレーザープロセス効率に対する伝導率の関係を示す。
【図面の簡単な説明】
【図１】
レーザープロセス効率に対する伝導率の関係を示す図である。
【図１】
2004514799.tif 000002
【国際公開パンフレット】
2004514799.tif 000003
2004514799.tif 000004
2004514799.tif 000005
2004514799.tif 000006
2004514799.tif 000007
2004514799.tif 000008
【国際調査報告】
2004514799.tif 000009
2004514799.tif 000010
2004514799.tif 000011
2004514799.tif 000012
(57)【要約】本発明の電話装置（１）は、音調節パラメータが可視である表示画面（５）を含む。画面には、それぞれ軌道（３１）、（３２）、及び（３３）に沿って動き、パラメータの値を示すインデックス（２１）、（２２）、及び（２３）が示される。このようにして１つの種類のイコライザが形成される。移動無線電話機に適用される。
2004514346.tif 000002
【特許請求の範囲】
【請求項１】
調節パラメータが可視である表示画面を含む電話装置であって、
上記パラメータの値は、可動のインデックスによって上記画面上に示され、上記可動のインデックスは上記値を示すことを特徴とする装置。
【請求項２】
上記インデックスを１つの方向に変化させる少なくとも１つの第１の制御部を含むことを特徴とする請求項１記載の装置。
【請求項３】
上記インデックスを別の方向に変化させる第２の制御部を含むことを特徴とする請求項２記載の装置。
【請求項４】
上記インデックスの位置によってその値が表される上記パラメータを選択する第３の制御部を含むことを特徴とする請求項１乃至３のうちいずれか一項記載の装置。
【請求項５】
上記制御部は、上記装置に含まれる上記筐体の上記側面にあることを特徴とする請求項１乃至４のうちいずれか一項記載の装置。
【請求項６】
上記画面上には、少なくとも２つのパラメータが可視であることを特徴とする請求項１乃至５のうちいずれか一項記載の装置。
【発明の詳細な説明】
【０００１】
本発明は、調節パラメータが見える表示画面を含む電話装置に関する。
【０００２】
特に、移動式といった電話装置の音声特性の品質はますます良好になっている。従って、オーディオ特徴を調節することがますます必要となる。
【０００３】
上述したようなタイプの装置は、仏国特許文書２７６４４６６から公知である。この文書では、デジタルフィルタに支援される周波数イコライザを実現する提案がなされ、デジタルフィルタはそれぞれ、所望の音質の関数として調節することのできる利得を有する。
【０００４】
本発明は、冒頭部に記載されたようなタイプの装置で、ユーザにとって感じのよいエルゴノミクスを使用してパラメータを容易に調節することのできる装置を提案する。
【０００５】
この為に、本発明の装置は、これらのパラメータの値が可動のインデックスによって装置の画面上に示され、インデックスはその値を指し示すことを特徴とする。
【０００６】
本発明の上述及び他の面は、以下に説明する実施例を参照しながら、非制限的な例として説明し明らかとなろう。
【０００７】
図１は、筐体１によって形成される移動電話装置を示し、筐体１は、特に、画面３、スピーカ５、マイクロホン６、キーパッド７、アンテナ８、前面に配置される第１のボタンセット１０、及び、装置に含まれる筐体の側面に配置される第２のボタンセット１２を含む。
【０００８】
図２は、上述した移動電話装置１の単純化した図を示す。この装置は、基本的に、データの送受信を可能にする送受信器組立体１５によって形成される。この為に、送受信器組立体はアンテナ８に接続される。組立体１５は、スピーカ５に信号を供給するオーディオ増幅器１６を含む。組立体１５及び既に説明し本発明において重要である様々な構成要素、即ち、画面３、キーパッド７、及び、２つのボタン組立体１０及び１２は、メモリ１７と協働するプロセッサ１８によって管理される。
【０００９】
このようなタイプの装置は、良好なオーディオ品質を有するので、ユーザは、例えば、様々なダイアリングトーン範囲、即ち、低ピッチ、高ピッチ、更に、中間ピッチに影響を及ぼすことによって音を調節する必要性を感じる場合がある。
【００１０】
本発明では、これらのパラメータのレベルを調節するために、ユーザは、図３に詳細に示し、それぞれ低ピッチトーンに対し参照符号２１を、中間ピッチトーンに対し参照符号２２を、高ピッチトーンに対し参照符号２３を有するインデックス（又はカーソル）に働きかける。これらのインデックスは、以下に説明するように、組立体１０及び１２のキーを適用することによって軌道３１、３２、及び３３に沿ってそれぞれ動かされる。インデックスの軌道における位置は、パラメータの値を良好に示す。これらのインデックスの幾つかが画面上に表示され、それにより、ユーザは、互いに対してのパラメータの相対値を把握することができる。
【００１１】
キー組立体１２は、３つの制御接触子を含む。即ち、接触子１２ａは組立体の上部に配置され、接触子１２ｂは組立体の下部に配置され、接触子１２ｃは組立体の中間に配置される。
【００１２】
キー１２ｃを押すと、上述した範囲のうちの１つを循環的に選択することができる。キー１２ａを押すと、選択された範囲のインデックスが、刻み目で上に動かされる。キー１２ｃを押すと、反対の効果、即ち、インデックスが下に動かされる。
【００１３】
キー組立体１０は、３つのキー１０ａ、１０ｂ、及び、１０ｃを含む。キー１０ａは、オーディオパラメータの調節メニュを終了することができる。キー１０ｂは、長い時間押し続けられると、電話装置の電源をオフにする。キー１０ｃを押すと、電話を受けて、上述したように選択されるオーディオパラメータで、電話をしている相手の話を聴くことができる。
【００１４】
従って、本発明は、このような調節が、３つの接触子１０ａ、１２ｂ、及び、１２ｃだけに基づくだけで全く直観的な方法で行うことができるという利点を提供する。これらのキーが側面にあるという事実によって、ユーザはこれらのキーを簡単且つ好適な方法で取り扱うことができる。
【００１５】
インデックスが配置されることによって表されるイコライザの形式である本発明のこの面によって、様々な範囲のレベルの全体像が与えられ、従って、快適な印象が与えられる。
【図面の簡単な説明】
【図１】
本発明の装置を示す図である。
【図２】
装置を示す線図である。
【図３】
本発明のパラメータの表示を示す図である。
【図１】
2004514346.tif 000003
【図３】
2004514346.tif 000004
【国際公開パンフレット】
2004514346.tif 000005
2004514346.tif 000006
2004514346.tif 000007
2004514346.tif 000008
2004514346.tif 000009
2004514346.tif 000010
【国際調査報告】
2004514346.tif 000011
2004514346.tif 000012
2004514346.tif 000013
(57)【要約】【課題】歯内治療プロトコールを実施するための根管用具のシーケンスである。【解決手段】いくつかの、例えば３つの根管用具を操作して歯内治療を行うための連続的シーケンスであり、上記用具が３枚の切削刃をなし、例えば６％、４％、２％という漸進勾配でそれぞれ同一の前進ピッチを有する根管用具のシーケンスである。【特許請求の範囲】
【請求項１】
歯内治療プロトコールを実施するための根管用具のシーケンスであって、いくつかの、例えば３つの根管用具を操作して歯内治療を行う連続的シーケンスであり、上記用具が３枚の切削刃をなし、例えば６％、４％、２％という漸進勾配でそれぞれ同一の漸進ピッチを有する歯内治療を行うための根管用具のシーケンス。
【請求項２】
請求項１の根管用具のシーケンスにおいて、上記漸進勾配が６％、４％、２％であることを特徴とする根管用具のシーケンス。
【請求項３】
請求項１または２の根管用具のシーケンスにおいて、上記ピッチが、
２％の勾配でかつピッチｘ、
４％の勾配でかつピッチ１．５ｘ、
６％の勾配でかつピッチ２ｘ
であり、該ピッチが、用具の尖端からハンドルに向かって増加することを特徴とする根管用具のシーケンス。
【発明の詳細な説明】
【０００１】
【発明の属する技術分野】
本発明は、歯内治療プロトコールを実施するための根管用具のシーケンスに関し、いくつかの、例えば３つの根管用具を操作して歯内治療を行う連続的シーケンスに関し、上記用具が３枚の切削刃をなし、例えば６％、４％、２％という漸進勾配でそれぞれ同一の漸進ピッチを有するものに関する。
【０００２】
【従来の技術】
このタイプの根管用具のシーケンスは公知である。
この種の用具では、ピッチが尖端からハンドルに向かって増加し、継続的な回転をさせた際に歯に用具をねじこんでしまうことを妨ぐ。
【０００３】
ピッチを増加させると、用具の軸部分の径が小さくなり、信頼性が向上する。
これは２％の勾配では許容できる柔軟性を提供するが、勾配が増加するにつれて柔軟性が減る。
【０００４】
【発明が解決しようとする課題】
本発明は、歯内治療プロトコールを実施するための根管用具のシーケンスに関し、いくつかの、例えば３つの根管用具を操作して歯内治療を行う連続的シーケンスであって、上記用具が３枚の切削刃をなし、例えば６％、４％、２％という漸進勾配でそれぞれ同一の漸進ピッチを有するものに関する技術を提供し、上記従来の問題点を解決するものである。
【０００５】
【課題を解決するための手段】
本発明は、歯内治療プロトコールを実施するための根管用具のシーケンスに関し、いくつかの、例えば３つの根管用具を操作して歯内治療を行う連続的シーケンスであって、上記用具が３枚の切削刃をなし、例えば６％、４％、２％という漸進勾配でそれぞれ同一の漸進ピッチを有するものに関する技術を提供し、上記従来の問題点を解決するものである。
【０００６】
切削刃の勾配である、６％、４％、２％というのは、好ましい例である。
【０００７】
したがって、限定されるものではないが、例えば
２％の勾配でかつピッチｘ、
４％の勾配でかつピッチ１．５ｘ、
６％の勾配でかつピッチ２ｘ
というピッチが採用できる。
ピッチは、用具の尖端からハンドルに向かって増加する。
【０００８】
【発明の効果】
ある特定のケースで、これでシーケンスを簡略化できる。例えば一つの根管について、用具を一つ省略し、例えば歯の尖端まで４％の勾配の用具により連続操作が可能になる。
【国際公開パンフレット】
2004514499.tif 000002
2004514499.tif 000003
2004514499.tif 000004
【国際調査報告】
2004514499.tif 000005
2004514499.tif 000006
2004514499.tif 000007
2004514499.tif 000008
(57)【要約】２つのハーフハウジング（１，２）で構成されるハウジングに軸方向に回転可能に配置され、シャフトと接続されて、該シャフトの上部球形軸受をなす球状ロータ（３）と、加圧した油圧液を前記ハーフハウジング（１，２）に供給する通路とを備える油圧回転シャフト用の回転アクチュエータにおいて、前記２つのハウジング部（１，２）は、球面形状に構成され、シールされて前記球状ロータ（３）と接触し、前記球状ロータ（３）は、赤道部分に円周凹部（４）と、該凹部（４）を閉鎖する少なくとも１つの隔壁（５）と、前記各凹部（４）に配置され、前記ハーフハウジング（１，２）と固定して接続された円筒規定部（８）と、前記凹部（４）に構成されたシリンダ室（６，７）の油圧接続部とを備え、これにより、前記各隔壁（５）の各サイドの前記円筒ルーム（６，７）に油圧を確実に供給することができることを特徴とする、回転アクチュエータ。
2004514853.tif 000002
【特許請求の範囲】
【請求項１】
２つのハーフハウジング（１，２）で構成されるハウジングに軸方向に回転可能に配置され、シャフトと接続されて、該シャフトの上部球形軸受をなす球状ロータ（３）と、
加圧した油圧液を前記ハーフハウジング（１，２）に供給する通路とを備える油圧回転シャフト用の回転アクチュエータにおいて、
前記２つのハウジング部（１，２）は、球面形状に構成され、シールされて前記球状ロータ（３）と接触し、
前記球状ロータ（３）は、赤道部分に円周凹部（４）と、
該凹部（４）を閉鎖する少なくとも１つの隔壁（５）と、
前記各凹部（４）に配置され、前記ハーフハウジング（１，２）と固定して接続された円筒規定部（８）と、
前記凹部（４）に構成されたシリンダ室（６，７）の油圧接続部とを備え、
これにより、前記各隔壁（５）の各サイドの前記円筒ルーム（６，７）に油圧を確実に供給することができることを特徴とする、回転アクチュエータ。
【発明の詳細な説明】
【０００１】
（技術分野）
本発明は、油圧回転アクチュエータに関する。
【０００２】
（背景技術）
上記タイプの回転アクチュエータは、例えば、ノルウェー特許１６４６４８号で知られており、比較的複雑に設計され、多数の部品点数から構成されている。さらに、その構造は、比較的大型で、重量がある。上記タイプの可逆回転型アクチュエータは、特に、船のラダーシャフトを動作させるためのラダー機器として使用される。
【０００３】
（発明の開示）
（発明が解決しようとする技術的課題）
上記タイプの機器には、特に、シンプルな構造と正確な調整能力を備え、かつ、ステアリングの衝撃をシャフトの物理的な回転に正確かつ直接的に伝達させることが要求される。さらに、回転アクチュエータは、そのような可逆回転型アクチュエータにおける実際の力に比べて、外形寸法が小型であることが好ましい。
【０００４】
したがって、本発明の目的は、前記要求を充足し、小型化と軽量化が図られている可逆回転型アクチュエータを提供することである。さらに、可逆回転型アクチュエータは、少ない部品点数で構成される必要がある。このようなアクチュエータであれば、取付時やその後の利用時だけでなく、製造時において非常に有利となる。
【０００５】
（その解決方法）
本発明の油圧回転アクチュエータによれば、非常にシンプル化した構造が提供され、外形寸法が非常に小型に構成される。このような構造は、特許請求の範囲に記載した特徴で定義された本発明の回転アクチュエータによって達成される。
【０００６】
（発明を実施するための最良の形態）
回転アクチュエータは、上部ハーフハウジング１と、下部ハーフハウジング２とを備える。この上部ハーフハウジング１および下部ハーフハウジング２は、関連する回転可能な部品とともに、ボルトとクランプを用いて組み立てられる。本発明の回転アクチュエータは、例えば、ラダーシャフトを駆動させるためのラダー機器として使用される。回転アクチュエータのハーフハウジング１，２は、船等のデッキに固定される。この固定具は、不図示であるが、図３を通って延在するシャフト用の上部軸受を、同時に備えていてもよい。
【０００７】
ハーフハウジング１，２で構成されるハウジングには、球状ロータ３が配置されている。この球状ロータ３は、シャフトの上部球形軸受及び該シャフトの固定具を構成している。ハウジングには、同様に、シール部が配置され、ハウジング１，２の内壁と球状ロータ３に接触している。
【０００８】
球状ロータ３は、赤道部分の周りに凹部４を備える。この凹部４は、ハウジング１，２の内壁とで、隔壁５の各サイドに内部円環（ｔｏｒｕｓ）を形成する。隔壁５は、図２に示したように、複数個形成されてもよい。各油圧パイプ通路１０は、各ピストン室６，７に圧力を供給する。対向するピストン室６，７は、それらの間に圧力差が生じるように修正されている。これにより、球状ロータ３は回転して、その結果、例えば、船上のラダーステムおよびラダーのような、ロータと接続されたシャフトを回転させることができる。
【０００９】
ピストン室６，７は、隔壁５と、円筒接続部９と、上下ハーフハウジング１，２と、２つの円筒規定部８とによって規定されている。２つの円筒規定部８は、ハーフハウジングと固定して接続され、凹部４に配置される。これらの部品が相互にシールされていることが、実質的に重要である。
【００１０】
（従来技術より有効な効果）
本発明の回転アクチュエータは、わずかな部品点数で構成され、アクチュエータそれ自体は、非常にコンパクト化されている。
【図面の簡単な説明】
【図１】本発明の回転アクチュエータの斜視図である。
【図２】本発明の回転アクチュエータの水平断面図である。
【図３】図２で示したＩＩＩ−ＩＩＩ線断面図である。
【国際公開パンフレット】
2004514853.tif 000003
2004514853.tif 000004
2004514853.tif 000005
2004514853.tif 000006
2004514853.tif 000007
2004514853.tif 000008
2004514853.tif 000009
【国際調査報告】
2004514853.tif 000010
2004514853.tif 000011
(57)【要約】従来技術によればケーシングのケーシング開口はカバーと注入物質とによって付加的な作業工程で閉鎖されなければならない。本発明による閉鎖装置はばねエレメント８と弾性的なエレメント１１とから成るシールエレメント５を有しており、この閉鎖装置は１作業工程でケーシング開口４の凹所６内に組付けられることができ、かつケーシング開口４を確実にシールする。
2004514860.tif 000002
【特許請求の範囲】
【請求項１】
気密な閉鎖装置（１）であって、シールされるべきケーシング開口（４）を有するケーシング部分（３）と、シールエレメント（５）とから成り、ケーシング開口（４）が凹所（６）を有しており、この凹所内にシールエレメント（５）が配置されており、該シールエレメント（５）が、ばねエレメント（８）と、これに配置された弾性的なエレメント（１１）とから成っていて、ケーシング開口（４）をシールするように凹所（６）内の側壁（１３）に当接していることを特徴とする閉鎖装置。
【請求項２】
ばねエレメント（８）がスタンピング曲げ部分であることを特徴とする請求項１記載の閉鎖装置。
【請求項３】
ばねエレメント（８）の横断面がＵ字形であることを特徴とする請求項１または２記載の閉鎖装置。
【請求項４】
弾性的なエレメント（１１）がゴムから成ることを特徴とする請求項１記載の閉鎖装置。
【請求項５】
ケーシング開口（４）が楕円形であることを特徴とする請求項１記載の閉鎖装置。
【請求項６】
凹所（６）が、シールエレメント（１１）の組付け方向（２１）に対して直角に少なくとも部分的に突出部（１５）を有しており、この突出部にシールエレメント（１１）が載着されることを特徴とする請求項１記載の閉鎖装置。
【請求項７】
弾性的なエレメント（１１）が自由に運動可能なシールリップ（１７）を有していることを特徴とする請求項１，４または６記載の閉鎖装置。
【発明の詳細な説明】
【０００１】
背景技術
本発明は請求項１の上位概念に記載の閉鎖装置から出発している。
【０００２】
組付け開口を備えたケーシングは、従来技術によれば、組付け開口内にカバーが挿入され、このカバーが注入物質により組付け開口内に保持され、かつその際、注入物質がシール機能をも受け持つことにより密に閉鎖される。注入物質の注入は付加的な作業工程である。
【０００３】
発明の利点
これに対して、請求項１の特徴概念の特徴を備えた本発明による閉鎖装置が有する利点は、簡単な形式でケーシング部分の開口がシールされることにある。
【０００４】
従属請求項に記載された手段によれば、請求項１に記載の閉鎖装置の有利な実施形および改善が可能である。
【０００５】
ばねエレメントは有利な形式でスタンピング曲げ部分としてＵ字形に形成される。それというのは、このことがばねエレメントのための簡単かつ公知の製作法であるからである。
【０００６】
弾性的なエレメントは有利にはゴムから成る。それというのは、ゴムが特別弾性的でありかつ特別良好にシールすることができるからである。
【０００７】
凹所内へのシールエレメントの組付けのためには、凹所内に突出部が存在し、この突出部にシールエレメントが当接するのが有利である。
【０００８】
シールエレメントが自由に運動可能なシールリップを有していると有利である。それというのはこのシールリップが案内補助手段として役つことができると共に半径方向および軸方向のシールを保証するからである。
【０００９】
実施例の説明
次に本発明の１実施例を図面に略示し、以下の記載で詳細に説明する。
【００１０】
図１はケーシング開口４を備えたケーシング部分３と、ケーシング開口内に配置されたシールエレメント５とから成る本発明による閉鎖装置を示す。ケーシング部分３は例えば電気機械のケーシング、例えば電気的な駆動装置の伝動装置ケーシングの一部である。ケーシング開口４は例えば組付け開口を形成し、この組付け開口を通して部品またはその他の組立がケーシング部分内で行われることができる。この作業の終了後に、このケーシング開口は水密に閉鎖されなければらならい。このことがシールエレメント５によって行われる。ケーシング開口４は例えば楕円形であり、それゆえコーナに種々異なる面圧が生じない。
【００１１】
図２は図１のＩＩ−ＩＩ線に沿った断面を示す。ケーシング開口４は凹所６を有しており、この凹所内にシールエレメント５が配置されている。シールエレメント５は矢印で示された組付け方向２１で凹所６内に取付けられる。組付け方向２１は図１の図平面に垂直である。凹所６は複数の側壁１３を有している。これらの側壁１３は組付け方向２１に対して平行に延びることができる。凹所６内には組付け方向２１に対して横方向に例えば少なくとも部分的に突出部１５が側壁１３として設けられており、この突出部にシールエレメント５が当接する。これにより、シールエレメント５が組付け方向２１で所定の深さまでしか凹所６内に組み込まれることができないことが保証される。シールエレメント５はばねエレメント８と弾性的なエレメント１１とから成る。ばねエレメント８は例えばスタンピング曲げ部分として製作されており、その外側の表面２３、要するに側壁１３と直接的に対向して位置する面には、少なくとも部分的に弾性的なエレメント１１が配置されている。この弾性的なエレメント１１は有利にはゴムから成っていてばねエレメント８に接着または加硫固定されている。弾性的なエレメント１１はその他の材料から成ることもできる。
【００１２】
組付けられていない状態では、シールエレメント５の幅、要するに組付け方向２１に対して直角方向の幅は、ケーシング開口４の幅を上回っている。それゆえシールエレメント５は組付けのために圧縮されなければならず、従って凹所６内で側壁１３に圧着される。弾性的なエレメント１１は例えばシールリップ１７を有しており、このシールリップは自由に運動可能であり、かつ凹所６内へのシールエレメント５の組付け時の案内補助手段としても役立つ。シールリップは外側の表面から突出した節により形成されている。シールリップ１７はばねエレメント８の周りに延びている。弾性的なエレメント１１によりシールエレメント５はケーシング開口４を半径方向にシールする。突出部１５が存在すると、軸方向のシールも保証される。ばねエレメント８の組付け方向に対して直角方向の横断面は例えばＵ字形に形成されており、その結果、ばねエレメント８は楕円形のトラフを形成する。
【図面の簡単な説明】
【図１】
本発明による閉鎖装置の上面図である。
【図２】
図１のＩＩ−ＩＩ線に沿った断面図である。
【国際公開パンフレット】
2004514860.tif 000003
2004514860.tif 000004
2004514860.tif 000005
2004514860.tif 000006
2004514860.tif 000007
2004514860.tif 000008
2004514860.tif 000009
2004514860.tif 000010
【国際調査報告】
2004514860.tif 000011
2004514860.tif 000012
2004514860.tif 000013
2004514860.tif 000014
(57)【要約】なし。【特許請求の範囲】
【請求項１】
なし。
【発明の詳細な説明】
なし。
【国際公開パンフレット】
2004514660.tif 000002
2004514660.tif 000003
2004514660.tif 000004
2004514660.tif 000005
2004514660.tif 000006
2004514660.tif 000007
2004514660.tif 000008
2004514660.tif 000009
2004514660.tif 000010
2004514660.tif 000011
2004514660.tif 000012
2004514660.tif 000013
2004514660.tif 000014
2004514660.tif 000015
2004514660.tif 000016
2004514660.tif 000017
2004514660.tif 000018
2004514660.tif 000019
2004514660.tif 000020
2004514660.tif 000021
2004514660.tif 000022
2004514660.tif 000023
2004514660.tif 000024
2004514660.tif 000025
2004514660.tif 000026
2004514660.tif 000027
2004514660.tif 000028
2004514660.tif 000029
2004514660.tif 000030
2004514660.tif 000031
2004514660.tif 000032
2004514660.tif 000033
2004514660.tif 000034
2004514660.tif 000035
2004514660.tif 000036
2004514660.tif 000037
2004514660.tif 000038
2004514660.tif 000039
2004514660.tif 000040
2004514660.tif 000041
2004514660.tif 000042
2004514660.tif 000043
2004514660.tif 000044
2004514660.tif 000045
2004514660.tif 000046
2004514660.tif 000047
2004514660.tif 000048
2004514660.tif 000049
2004514660.tif 000050
2004514660.tif 000051
2004514660.tif 000052
2004514660.tif 000053
2004514660.tif 000054
2004514660.tif 000055
2004514660.tif 000056
2004514660.tif 000057
2004514660.tif 000058
2004514660.tif 000059
2004514660.tif 000060
2004514660.tif 000061
2004514660.tif 000062
2004514660.tif 000063
【国際公開パンフレット（コレクトバージョン）】
2004514660.tif 000064
2004514660.tif 000065
【国際調査報告】
2004514660.tif 000066
2004514660.tif 000067
2004514660.tif 000068
2004514660.tif 000069
(57)【要約】本発明は、アルミニウムと鋳鉄とからなる材料をフライス加工する方法に関する。１０００ｍ／分より速い切削速度で窒化珪素基の切削工具インサートを使用することによって、予期せぬ工具寿命の増加が達成された。【特許請求の範囲】
【請求項１】
１０００〜３０００ｍ／分の切削速度と、０．０５〜０．５ｍｍの送りと、０．２〜２ｍｍの切り込み深さとで、窒化珪素基の切削工具インサートを使用することを特徴とするアルミニウムと鋳鉄とからなる材料をフライス加工する方法。
【請求項２】
０．０９〜０．１７ｍｍの切屑厚みを特徴とする請求項１記載の方法。
【発明の詳細な説明】
【０００１】
発明の技術分野
本発明は、アルミニウムと鋳鉄とからなるエンジンブロックの高速度フライス加工に関する。さらに具体的には、本発明は、エンジンブロックの高速度フライス加工方法に関する。
【０００２】
最近のエンジンブロックは、鋳鉄ライナーを備えたアルミニウムからほとんど作られている。これらの機械加工に対しては、被覆された超硬合金と多結晶ダイヤモンド（ＰＣＤ）とのインサートが一般的に使用される。被覆された炭化物は、あまりにも大きな熱負荷のために、６００ｍ／分より速い切削速度では使用することができない。ＰＣＤインサートの機能は優れているが、高価格であるので価格的に競合できない。表面仕上げと切屑放出とのために、湿式フライス加工が用いられる。機械加工に用いる乳化液は、環境及び健康に課題をもたらし且つ高価である。切削データは、切削速度＝１５０〜３００ｍ／分であり、送り速度／１刃が約０．１５〜０．３０ｍｍ／１刃である。切り込み深さは、０．２〜１．５ｍｍの間である。
【０００３】
一般的に、エンジンブロックは移動ライン上で生産されて、時間短縮が大きい。この作業が、ほとんどこの生産の進行状況（ｂｏｔｔｌｅｎｅｃｋ）を決定する。互いに接近するピッチを有するフライスカッタが使用され、インサートが摩耗したときには、約３０〜４０個のインサートを交換することになる。一つの典型的な摩耗機構は、表面仕上げを悪くする構成刃先であり、且つ磨耗を早め切刃の障害となる。工具の交換の主な理由は表面の仕上げであり、頻繁な工具変換が要求される。
【０００４】
窒化珪素は、良好な耐磨耗性と非常に高い温度特性のために、鋳鉄の機械加工用の切削工具材料である。窒化珪素の特性はその密度に大きく依存するので、基体を十分な密度にするために、窒化珪素に焼結助剤を添加することが必要であることを明らかにした。
【０００５】
典型的には、使用される焼結助剤は、Ａｌ２Ｏ３、ＢｅＯ、ＭｇＯ、ＴｉＯ２、ＺｒＯ２、ＨｆＯ２、及び周期律表第３属の元素スカンジウム、イットリウム、ランタン、セリウムなどの酸化物である。添加される焼結助剤の量は、数ｗｔ％程度である。焼結助剤は硝子相を焼結する際に形成され、これが高密度化を促進する。すなわち、窒化珪素切削インサートは、粒界硝子相のベータ窒化珪素からなる。
【０００６】
長い工具寿命を有する工具固溶体を開発することは、非常に高い要求である。価格、健康障害及び環境影響を減少させるために、この種の適用においては乾式機械加工が強く要望される。
【０００７】
切削速度が１０００ｍ／分以上で窒化珪素インサートを使用することによって、さらに長い工具寿命と生産性の増加が達成することができるということがここで意外にも明らかになった。構成刃先と磨耗との問題が、炭化珪素インサートを使用するというこれらの切削資料でもって意外にも消失した。低切削速度における窒化珪素のインサートに依然として残る構成刃先と磨耗との課題は、またさらに重要であった。
【０００８】
本発明は、窒化珪素インサートを使用する複合材料（鋳鉄と組み合わされたアルミニウム）の機械加工に関する。
【０００９】
切削資料は次のとおりである。
【００１０】
切削速度＝１０００〜３０００、好ましくは１１００〜２５００ｍ／分、
切削送り／１刃＝０．０５〜０．５ｍｍ、好ましくは０．１５〜０．３０ｍｍ、
切り込み深さ＝０．２〜２ｍｍ、好ましくは０．２〜１ｍｍ、
切屑厚み＝０．０９〜０．１７ｍｍ
実施例
エンジンブロックの正面フライス加工が次の条件で実施された。
【００１１】
作業：正面フライス加工、仕上げ加工、
加工物：エンジンブロック、
材料：アルミニウム−８％Ｓｉ及びパーライトねずみ鋳鉄、
切削速度：表を参照、
送り速度／１刃：０．２６ｍｍ、
切り込み深さ：０．５ｍｍ、
インサート型式：２８個　ＳＢＥＸ１２０３ＺＺ−１１、及び
４個　ＳＢＥＮ１２０３ＺＺ、
等級１：Ｃｏｒｏｍａｎｔ等級６０９０、
等級２：４μｍのＴｉＮ＋ＴｉＣ被膜を有するＷＣ−６％Ｃｏ超硬合金、
フライスカッタ：直径２５０ｍｍの自動ＦＳ２６０．４２、
工具寿命／インサートは、表に示す、
工具寿命基準：フリッタリング構成物を含む容認できない表面仕上がり
結果
2004513793.tif 000002
結論
窒化珪素のインサートでもって高い生産性と長い工具寿命が達成され、これが、生産における進行状況に付いての問題を減少し、且つ工具の頻繁な交換を減らす。その他の利点は冷却剤をやめることであり、これは環境保護ならびに価格的利点を有する。
【国際公開パンフレット】
2004513793.tif 000003
2004513793.tif 000004
2004513793.tif 000005
2004513793.tif 000006
2004513793.tif 000007
2004513793.tif 000008
【手続補正書】
【提出日】平成15年2月25日(2003.2.25)
【手続補正１】
【補正対象書類名】明細書
【補正対象項目名】特許請求の範囲
【補正方法】変更
【補正の内容】
【特許請求の範囲】
【請求項１】
１０００〜３０００ｍ／分の切削速度と、０．０５〜０．５ｍｍの送りと、０．２〜２ｍｍの切り込み深さとで、冷却剤なしで、粒界硝子相のベータ窒化珪素からなる窒化珪素基の切削工具インサートを使用することを特徴とするアルミニウム−８％Ｓｉとパーライトねずみ鋳鉄とからなる材料をフライス加工する方法。
【国際調査報告】
2004513793.tif 000009
2004513793.tif 000010
2004513793.tif 000011
(57)【要約】本発明は、検査を受ける人の頭蓋表面上に取り付けた電極により、電気脳撮影図を空間的に方向付けて検出するための装置に関する。本発明によれば、いくつかの電極が、電極の一部が対象の脳領域から生成された電気活動を捕えるように、頭蓋表面上に配置される。電極の別の部分は、該対象領域に隣接して、隣接領域によって生成された干渉電気活動を捕える。この干渉電気活動を低減するために、電子回路および信号処理法が使用される。
2004513733.tif 000002
【特許請求の範囲】
【請求項１】
検査を受ける人の頭蓋表面上に取り付けた電極により、電気脳撮影図を空間的に方向付けて捕えるための装置であって、電極の一部が、対象とする皮質構造の活動を捕えるように配置され、電極の別の部分が、該対象とする皮質構造および周囲領域の活動を捕えるように配置され、かつ、電子評価回路が存在することを特徴とする装置。
【請求項２】
前記電極が、基準電極（１）の周囲で内側リング（２）および外側リング（３）に軸対称に配置されることを特徴とする請求項１に記載の装置。
【請求項３】
電気脳撮影図を空間的に方向付けて捕えるための方法であって、電気活動を、対象とする皮質構造に関して、ならびに該対象とする皮質構造および隣接領域に関して捕え、かつ、受け取った電位を増幅し、電子回路に送ることを特徴とする方法。
【請求項４】
対象とする皮質構造の活動を捕えるための皮質方向特性が、信号処理のアルゴリズムにより実現されることを特徴とする請求項３に記載の方法。
【発明の詳細な説明】
【０００１】
（発明の名称）
電気脳撮影図を空間的に方向付けて捕えるための装置および方法
（発明の属する技術分野）
本発明は、選択された脳の領域の電気脳撮影図を空間的に方向付けて捕えるための装置と方法に関する。
【０００２】
（最新の技術）
最新の技術によると、予め定義された標準的な位置で、適切な電極により脳電図（ＥＥＧ）を捕え、それをアンプに与えるシステムが知られている。その欠点は、脳の比較的大きな領域からしか、電気活動を捕えることができないということである。
【０００３】
しかし神経病学、生理学または機能診断の多くの医学的問題において、ある解剖学的に限定された領域または中心の局所的の脳活動には、より本質的な重要性がある。一連の広範囲な信号処理ステップが、そのような領域の電気活動を捕えて、かつ隣接する脳領域による干渉から離すために、必要である。それに関しては、増幅させたＥＥＧを、コンピュータでディジタル化し、後に分析しなければならない。
【０００４】
この方法の大きな欠点は、オフライン分析だけが可能であるということである。したがって、この方法は、時間が重要とされる方法で使用することができない。
【０００５】
（発明の説明）
したがって本発明の目的は、空間的に限られた脳領域の局所的電気活動を捕え、それをさらなる処理および／または分析に使用できるようにするための方法および装置を提供することにある。同時に、検査すべき所望領域に対する、隣接する脳領域からの作用領域および干渉領域は、電位差に関してその投射がかなり抑制される。
【０００６】
本発明によれば、検査を受ける人の頭蓋表面に電極が取り付けられる、脳撮影図を空間的に方向付けて捕えるための装置であって、
−電極のある部分が、対象とする皮質構造の活動を捕えるように配置され、
−電極の他の部分が、該対象とする皮質構造の活動および周囲領域の活動を捕えるように配置され、
さらには、
−　電子評価回路が存在する装置が意図される。
【０００７】
本発明による装置の有利な改良では、電極が、基準電極の周囲で内側リングと外側リングに軸対称に配置される。
【０００８】
本発明は更に、電気脳撮影図を空間的に方向付けて捕えるための方法であって、電気活動が、
−　対象とする皮質構造に関して測定する同様、
−　該対象とする皮質構造および隣接領域に関して測定し、かつ
−　受け取った電位は増幅し、電気回路に送る方法に関する。
【０００９】
本発明による方法の有利な改良では、対象とする皮質構造の活動を捕捉するための空間的な方向付けパターンが、信号処理のアルゴリズムによって実現される。
【００１０】
本発明による装置および方法は、対象の脳領域の電気活動が、ＥＥＧの捕捉と同時に干渉から解放されることを特徴とする。従来の捕捉方法では、オフライン分析に支援されてのみこれは可能であった。これは、信号処理の方法が、数回の測定の反復に基づいており、したがって多くの場合に臨床的に許容しがたい遅延で実現されることを意味する。
【００１１】
本発明を、空間的に方向付けられたＥＥＧ捕捉の一般的設計を示す図面を参照しながら説明する。
【００１２】
（図面の詳細な説明）
図示した装置は、視覚皮質の検査に使用することができる。２つのリングが、患者の視覚皮質上のイニオン４の上で頭脳表面に取り付けられる。使用する電極の数は、それぞれの技術的装備に依存する。該電極は、基準電極１の周囲に軸対称に配置される。
【００１３】
内側電極リング２は、ＲＯＩ（対象領域、つまりターゲット領域）の上に直接配置される。その寸法は、既知の解剖学的特性に依存して、選択しなければならない。
【００１４】
外側電極リング３は、さらに、ＲＯＩの周囲の領域の活動をカバーする。内側リング２および外側リング３の電極電位は、共通の脳電図（ＥＥＧ）アンプ５，６で増幅され、電子ブロック７に送られる。電極構成および隣接する脳領域の干渉抑制の電気的な方向パターンは、適切なアナログおよびディジタル回路技術でもマイクロコントローラか信号プロセッサにインプリメントされたアルゴリズムでも実現される。両方の脳体積の活動から形成された差は、検査領域（ＲＯＩ）のほとんど乱されない活動を形成する。検査を受ける人は、脳電位を受け取る間に、早くも診断に関連する情報を得ることができる。
【図面の簡単な説明】
【図１】空間的に方向付けられたＥＥＧ捕捉の一般的設計。
【国際公開パンフレット】
2004513733.tif 000003
2004513733.tif 000004
2004513733.tif 000005
2004513733.tif 000006
2004513733.tif 000007
2004513733.tif 000008
2004513733.tif 000009
【国際調査報告】
2004513733.tif 000010
2004513733.tif 000011
2004513733.tif 000012
2004513733.tif 000013
(57)【要約】ハウジング（１）と、ハウジング（１）内で前後に動くことのできるハンマーピストン（２）と、掘削工具（３）と、掘削工具（３）を案内するガイド部材（４）とを有する削岩機。ガイド部材（４）は、掘削工具（３）に対向した表面がポリエチレンテレフタレートで構成されている。
2004513269.tif 000002
【特許請求の範囲】
【請求項１】
ハウジング（１）と、ハウジング（１）内で前後に動くことのできるハンマーピストン（２）と、掘削工具（３）と、掘削工具（３）を案内するガイド部材（４）とを有し、ハンマーピストン（２）が掘削工具（３）に衝撃を与えるようにした削岩機において、掘削工具（３）に対向したガイド部材（４）の表面がポリエチレンテレフタレートで構成されていることを特徴とする削岩機。
【発明の詳細な説明】
【０００１】
【発明の属する技術分野】
本発明は、削岩機、一層特に掘削工具の特殊なガイド部材を備えた削岩機に関するものである。
【０００２】
【従来の技術】
従来公知の削岩機においては、青銅材料から成るガイド部材を掘削工具に対して用いている。この構成の問題点は、青銅製のガイド部材と鋼製の掘削工具との間にしばしば掴みが生じることにある。その結果ひび割れや掘削工具の破損が生じることになる。
【０００３】
【発明が解決しようとする課題】
特許請求の範囲に定義される本発明は、上記の問題点を回避することを目的としている。
【０００４】
【課題を解決するための手段】
上記の目的は、掘削工具に対向したガイド部材（４）の表面をポリエチレンテレフタレートで構成することで達成される。
【０００５】
【発明の実施の形態】
以下、本発明による削岩機を一部断面で示す添付図面を参照して本発明の実施の形態について説明する。
【０００６】
図示削岩機は、ハウジング１を有し、ハウジング１内において、ハンマーピストン２は、掘削工具３に衝撃を与えるために前後に動くことのできる。掘削工具の後方部分すなわち軸部アダプターのみが図示されている。軸部アダプターは、掘削工具の残りの部分を接続するためのねじ５及び掘削工具を回転するためのはめ歯型部分６を備えている。削岩機の前方部分には、掘削工具を案内するガイド部材４が設けられている。ガイド部材４はポリエチレンテレフタレートで構成されている。しかし、掘削工具３に対向したガイド部材４の表面をポリエチレンテレフタレートで構成すれば十分である。ガイド部材４には多数の半径方向孔７及びこれらの孔７に隣接した長手方向溝８が設けられている。これらの構成よって、掘削切削物やその他の不純物が削岩機内に入るのを阻止するために削岩機の内部から掘削工具３のまわりに分布した漏れ流が得られる。
【図面の簡単な説明】
図面は本発明による削岩機を一部断面で示す。
【国際公開パンフレット】
2004513269.tif 000003
2004513269.tif 000004
2004513269.tif 000005
2004513269.tif 000006
【国際調査報告】
2004513269.tif 000007
2004513269.tif 000008